(57)【要約】      （修正有）【課題】表示面を加重した際に、その抜重後においても表示不良が視認される加重痕を短時間に消滅できる横電界方式の液晶表示装置を提供する。【解決手段】マトリクス状に配置され画素領域を形成する複数の信号配線と複数の走査配線と、信号配線と走査配線との交差部に形成されたスイッチング素子と、スイッチング素子と接続した画素電極と、画素電極と絶縁膜を介して対向して形成された共通電極と、を備えるアレイ基板と、アレイ基板と対向する対向基板と、アレイ基板と対向基板との間に挟持された液晶材料と、からなるアレイ基板面に平行な電界により液晶材料を応答させる横電界方式の液晶表示装置であって、全走査配線について順次走査信号を印加する垂直周期の間隙期間である垂直ブランキング期間に、共通電極電位Ｖｃｏｍを変化させ、共通電極電位Ｖｃｏｍと画素電極電位Ｖｓとの電位差│Ｖｓ−Ｖｃｏｍｍ│を垂直ブランキング期間前に比べ小さくする。【選択図】図５
2015184535.tif 000002
【特許請求の範囲】
【請求項１】
マトリクス状に配置され画素領域を形成する複数の信号配線と複数の走査配線と、前記信号配線と前記走査配線との交差部に対応して形成されたスイッチング素子と、前記スイッチング素子と接続した画素電極と、前記画素電極と絶縁膜を介して対向して形成された共通電極と、を備えるアレイ基板と、
前記アレイ基板と対向する対向基板と、
前記アレイ基板と前記対向基板との間に挟持された液晶材料と、からなる前記アレイ基板面に平行な電界により液晶材料を応答させる横電界方式の液晶表示装置であって、
全前記走査配線について順次走査信号を印加する垂直周期の間隙期間である垂直ブランキング期間に、共通電極電位Ｖｃｏｍを変化させ、前記共通電極電位Ｖｃｏｍと画素電極電位Ｖｓとの電位差│Ｖｓ−Ｖｃｏｍ│を前記垂直ブランキング期間前に比べ小さくする液晶表示装置。
【請求項２】
前記共通電極電位Ｖｃｏｍの変化の大きさは１Ｖ以上、３０Ｖ以下、変化させる期間は５０マイクロ秒以上、５ミリ秒以下であることを特徴とする請求項１に記載の液晶表示装置。
【請求項３】
前記共通電極電位Ｖｃｏｍの変化は、前記垂直ブランキング期間に行い、正極性に書き込みを行った画素については、前記垂直ブランキング期間前に比べ前記共通電極電位Ｖｃｏｍを高くし、負極性に書き込みを行った画素については、前記垂直ブランキング期間前に比べ前記共通電極電位Ｖｃｏｍを低くすることを特徴とする請求項１または２に記載の液晶表示装置。
【請求項４】
前記共通電極電位Ｖｃｏｍの変化は、前記垂直ブランキング期間に行い、前記垂直ブランキング期間前に比べ前記共通電極電位Ｖｃｏｍを高くする期間と低くする期間とを有することを特徴とする請求項１または２に記載の液晶表示装置。
【請求項５】
マトリクス状に配置され画素領域を形成する複数の信号配線と複数の走査配線と、前記信号配線と前記走査配線との交差部に対応して形成されたスイッチング素子と、前記スイッチング素子と接続した画素電極と、前記画素電極と絶縁膜を介して対向して形成された共通電極と、を備えるアレイ基板と、
前記アレイ基板と対向する対向基板と、
前記アレイ基板と前記対向基板との間に挟持された液晶材料と、からなる前記アレイ基板面に平行な電界により液晶材料を応答させる横電界方式の液晶表示装置の駆動方法であって、
全前記走査配線について順次走査信号を印加する垂直周期の間隙期間である垂直ブランキング期間に、共通電極電位Ｖｃｏｍを変化させ、前記共通電極電位Ｖｃｏｍと画素電極電位Ｖｓとの電位差│Ｖｓ−Ｖｃｏｍ│を前記垂直ブランキング期間前に比べ小さくする液晶表示装置の駆動方法。
【請求項６】
前記共通電極電位Ｖｃｏｍの変化の大きさは１Ｖ以上、３０Ｖ以下、変化させる期間は５０マイクロ秒以上、５ミリ秒以下であることを特徴とする請求項５に記載の液晶表示装置の駆動方法。
【請求項７】
前記共通電極電位Ｖｃｏｍの変化は、前記垂直ブランキング期間に行い、正極性に書き込みを行った画素については、前記垂直ブランキング期間前に比べ前記共通電極電位Ｖｃｏｍを高くし、負極性に書き込みを行った画素については前記垂直ブランキング期間前に比べ前記共通電極電位Ｖｃｏｍを低くすることを特徴とする請求項５または６に記載の液晶表示装置の駆動方法。
【請求項８】
前記共通電極電位Ｖｃｏｍの変化は、前記垂直ブランキング期間に行い、前記垂直ブランキング期間前に比べ前記共通電極電位Ｖｃｏｍを高くする期間と低くする期間とを有することを特徴とする請求項５または６に記載の液晶表示装置の駆動方法。
【発明の詳細な説明】
【技術分野】
【０００１】
本発明は横電界方式のアクティブマトリクス型液晶表示装置に関するものであり、さらに詳しくは、表示面への加重によって生じる配向不良である加重痕を短時間で消滅させることができる横電界方式のアクティブマトリクス型液晶表示装置に関するものである。
【背景技術】
【０００２】
同一基板上に一対の電極を形成し、電極間に生じる基板面にほぼ平行な電界により液晶材料を応答させる横電界方式の液晶表示装置は、非常に広い視野角特性を示し、テレビやモニター等のみでなく、携帯機器用の表示装置にも広く用いられている。
【０００３】
この横電界方式の液晶表示装置では、液晶材料は、基板面に平行、かつ、同一方向に配向している。このような配向状態は一般に一軸配向と呼ばれる。横電界方式の液晶表示装置においては、この一軸配向の液晶材料を、基板面にほぼ平行な電界によりその配向方向を変化させ、表示を行う。一般に液晶材料が電界により応答した状態を白表示、未応答の状態を黒表示として用いている。
【０００４】
この横電界方式の液晶表示装置においては、特に白表示時に、表示面への加重により、加重箇所の周辺に液晶材料の配向異常が発生し、抜重後もその配向異常が残り、表示不良として長時間視認される。この表示不良を加重痕と呼ぶ。この加重痕に対して、画素電極の形状を変更することで、発生を抑制する構成が提案されている（たとえば特許文献１、２）。
【先行技術文献】
【特許文献】
【０００５】
【特許文献１】特開２０１０−１６９９９４号公報
【特許文献２】特開２０１０−２５６５４７号公報
【発明の概要】
【発明が解決しようとする課題】
【０００６】
しかしながら、加重痕の発生を抑制する画素電極の形状は、基板面にほぼ平行な電界を発生する一対の電極間の一部に、液晶材料の応答方向を変化させる突起等を形成するものであり、開口率が低くなり、十分に明るい表示を得ることができないという問題があった。
【０００７】
本発明はこのような問題を解決するためになされたものであり、横電界方式の液晶表示装置においてみられる、表示面に加重をかけ、抜重後に残る加重痕を短時間に消滅させることができる、良好な表示の液晶表示装置を得ることを目的とする。
【課題を解決するための手段】
【０００８】
本発明の液晶表示装置は、マトリクス状に配置され画素領域を形成する複数の信号配線と複数の走査配線と、信号配線と走査配線との交差部に対応して形成されたスイッチング素子と、スイッチング素子と接続した画素電極と、画素電極と絶縁膜を介して対向して形成された共通電極と、を備えるアレイ基板と、アレイ基板と対向する対向基板と、アレイ基板と対向基板との間に挟持された液晶材料と、からなるアレイ基板面に平行な電界により液晶材料を応答させる横電界方式の液晶表示装置であって、全走査配線に順次走査信号を印加する垂直周期の間隙期間である垂直ブランキング期間に、共通電極電位Ｖｃｏｍを変化させ、共通電極電位Ｖｃｏｍと画素電極電位Ｖｓとの電位差│Ｖｓ−Ｖｃｏｍ│を垂直ブランキング期間前に比べ小さくするものである。
【発明の効果】
【０００９】
本発明の液晶表示装置は、全走査配線に順次走査信号を印加する垂直周期の間隙期間である垂直ブランキング期間に共通電極の電位を変化させることにより、表示面に残存した加重痕を短時間に消滅させることができる、良好な表示の液晶表示装置を得ることができる。
【図面の簡単な説明】
【００１０】
【図１】本発明の実施の形態１に係る液晶表示装置の構成図である。
【図２】本発明の実施の形態１に係る液晶表示装置の画素部分の拡大平面図である。
【図３】本発明の実施の形態１に係る液晶表示装置の画素部分の拡大断面図である。
【図４】本発明の実施の形態１に係る加重痕を説明する拡大模式図である。
【図５】本発明の実施の形態１に係る液晶表示装置の書き込みのタイミング図である。
【図６】本発明の実施の形態１に係る液晶表示装置の書き込み極性を示す図である。
【図７】本発明の実施の形態１に係る液晶表示装置の画素部分の等価回路である。
【発明を実施するための形態】
【００１１】
実施の形態の説明および各図において、同一の符号を付した部分は、同一または相当する部分を示すものである。
【００１２】
実施の形態１．
＜液晶表示装置の構造＞
図１〜３を用いて本発明の実施の形態１に係る液晶表示装置の構造を説明する。図１は液晶表示素子と駆動回路、および制御部を含めた液晶表示装置の構成を示している。図２は液晶表示装置の画素部分を拡大して示したもので、図３は液晶表示装置の画素部分の、スイッチング素子である薄膜トランジスタ（ＴＦＴ）付近の断面を拡大して示す図である。本発明は駆動信号に特徴があり、液晶表示装置の構造を説明した後に、駆動条件の説明において詳細に述べる。
【００１３】
液晶表示装置１００は、アレイ基板１と対向基板２が液晶材料３を挟持してなる液晶表示素子と周辺回路で主に構成されている。このような液晶表示素子の画像を表示する部分は表示エリア４と呼び、ｍ×ｎ個のマトリクス状に配置した複数の画素５によって構成されている（ｍ、ｎは正の整数）。
【００１４】
アレイ基板１は、ガラス基板や石英基板などの光透過性を有する絶縁基板６を用いることができる。絶縁基板６上に、行方向Ｈに沿って延在するｎ本の走査（ゲート）配線（Ｘ：Ｘ１〜Ｘｎ）、列方向Ｖに沿って延在するｍ本の信号（ソース）配線（Ｙ：Ｙ１〜Ｙｍ）が形成される。この走査配線Ｘと信号配線Ｙで囲まれた領域が個々の画素５に相当し、走査配線Xと信号配線Yの交差部分にスイッチング素子７が形成されている。
【００１５】
走査配線Ｘ１〜Ｘｎ、信号配線Ｙ１〜Ｙｍは、このアレイ基板１の周囲へ形成された走査ＩＣ８、信号ＩＣ９をそれぞれ経て制御部１０に接続されている。走査配線Ｘ、信号配線Ｙは、たとえばモリブデン、アルミニウム、タングステン、チタンなどの導電性材料を用いることができる。スイッチング素子７は、たとえば薄膜トランジスタ（ＴＦＴ）によって構成され、スイッチング素子７の半導体層１１は、たとえばポリシリコン、アモルファスシリコンなどを用いることができ、本実施の形態においては、アモルファスシリコンを用いた。
【００１６】
図１の液晶表示装置１００の内部に記載された窓部分はアレイ基板１の画素５部分を拡大して示している。スイッチング素子７の走査電極１２は走査配線Ｘと電気的に接続されている。これらの走査配線Ｘと走査電極１２は同一材料を用いて、同一工程で形成することができる。この走査配線Ｘ、走査電極１２は図３に示すように窒化シリコン（ＳｉＮ）などの無機材料からなるゲート絶縁膜１５により覆われている。
【００１７】
信号配線Ｙはゲート絶縁膜１５上に形成されている。またスイッチング素子７の半導体層１１も、ゲート絶縁膜１５上に形成され、走査電極１２とゲート絶縁膜１５を介して対向するように配置している。
【００１８】
スイッチング素子７の信号電極１４とドレイン電極１３は、ゲート絶縁膜１５上でいずれも半導体層１１と接して配置されており、信号電極１４とドレイン電極１３との間部分がチャネル１６として機能する。信号電極１４は信号配線Ｙに接続され、ドレイン電極１３は画素電極１７に接続されている。共通配線１８に接続した共通電極１９と、この画素電極１７との間に電圧を印加し、液晶材料３を応答動作させる。
【００１９】
信号電極１４、信号配線Ｙおよびドレイン電極１３は、同時に同一材料を用いて形成可能である。このような半導体層１１、信号配線Ｙ、信号電極１４、ドレイン電極１３は、第１の絶縁膜２０により覆われている（図３）。第１の絶縁膜２０は、パッシベーション膜として機能し、窒化シリコン（ＳｉＮ）膜や酸化シリコン（ＳｉＯ）膜、有機絶縁膜を用いることができ、単層でも複数の層の積層としても用いることができる。本実施の形態においては、第１の絶縁膜２０は、窒化シリコン膜と有機絶縁膜の２層２０ａ、ｂとして用いた。
【００２０】
本実施の形態においては、スイッチング素子７として、走査電極１２が下側（絶縁基板６側）にあり、チャネル１６が上側（液晶材料３側）にある構造のボトムゲート型の薄膜トランジスタを用いている。
【００２１】
図２、図３に示すように、第１の絶縁膜２０の上の表示領域全面に共通電極１９が形成されており、この共通電極１９を覆って、第２の絶縁膜２１を形成されている。またドレイン電極１３上に形成したコンタクトホール（開口部２４）２２を介して第２の絶縁膜２１上に画素電極１７が、画素ごとに形成されている。
【００２２】
画素電極１７には、複数のスリット２３が形成されている（図２）。このスリット２３を形成することにより、共通電極１９と画素電極１７との間に電圧を印加したときに、スリット２３の端部に生じるアレイ基板１面にほぼ平行な電界が生じ、液晶材料３を横方向に応答させることができる。スリット２３は、本実施の形態においては長方形としたが、長方形以外に、長円形等であっても同様の効果を得ることができる。
【００２３】
共通電極１９と画素電極１７は、いずれもＩＴＯ、ＩＺＯ等の光透過性を有する導電材料を用いることができる。また画素電極１７上には、液晶材料３を配向させる方向に液晶配向処理を行った配向膜２５ａが形成されている。
【００２４】
一方、対向基板２もガラス基板、石英基板などの光透過性を有する絶縁基板６を用いて形成されている。図３に示すように、対向基板２は絶縁基板６の液晶材料３側の面にブラックマトリクス２７とカラーフィルター２６を備えている。カラーフィルター２６の表面の凹凸を平坦化するために、オーバーコート層を形成することもできる。
【００２５】
ブラックマトリクス２７は、絶縁基板６上において、アレイ基板１に形成された走査配線Ｘ、信号配線Ｙ、スイッチング素子７等に対応した位置に形成されている。このブラックマトリクス２７は、一例として黒色に着色された着色樹脂によって形成される。また、カラーフィルタ層２６は、絶縁基板６上に配置され、一般に赤色、青色、緑色のいわゆる３原色に着色された樹脂層によって形成される。
【００２６】
アレイ基板１、対向基板２の表面には配向膜２５ａ、ｂが形成されている。配向膜２５ａ、ｂは液晶材料３を均一に配向させることができるものであればよく、多くの場合、液晶材料３を配向させるためのラビング処理を行ったポリイミドフィルムが用いられる。本実施の形態においては、図２の左右方向（Ｈ方向）にラビング処理を行った。
【００２７】
配向膜２５ａ、ｂを形成したアレイ基板１と対向基板２を液晶材料３を挟持して貼り合わせた。この状態で液晶材料３は、図１、図２の左右方向（Ｈ方向）に配向している。さらに表面と裏面に偏光板２９ａ、ｂを、それぞれの透過軸が液晶配向方向および液晶配向方向に直交する方向となるように貼付して液晶表示装置１００を得た。この液晶表示装置１００は、共通電極１９と画素電極１７との間に電圧を印加しない状態で黒表示となり、電圧印加することで液晶材料３が電界方向へ応答し、白表示となる。
【００２８】
＜液晶表示装置の駆動＞
図１に示すように制御部１０は走査ＩＣ８、信号ＩＣ９に接続されており、さらに、走査（ゲート）配線（Ｘ１〜Ｘｎ）、信号（ソース）配線（Ｙ１〜Ｙｍ）に接続されている。共通電極１９には共通配線１８から共通電圧が印加される。
【００２９】
制御部１０はたとえばパーソナルコンピュータ等の外部入力装置からの情報に基づいて各ＩＣにデジタル化された表示データ（たとえば赤、緑、青に対応する信号）および各種の制御信号を出力する。各ＩＣは、制御部１０からの制御信号、表示データに基づいて走査信号、表示信号を各々走査配線Ｘ、信号配線Ｙに出力する。走査ＩＣ８への主な制御信号は、垂直同期信号や、スタートパルス信号および信号ＩＣ用クロック信号等がある。
【００３０】
さらに制御部１０は参照電圧により生成した階調電圧を信号ＩＣ９に出力する。信号ＩＣ９は、入力された表示データを、その後、制御部１０から出力される水平同期信号に同期して、ＤＡ（デジタル/アナログ）変換を行い、表示用のアナログ信号を信号配線Ｙに印加する。
【００３１】
走査ＩＣ８は、制御部１０による制御信号に基づいてｎ本の走査配線（Ｘ１〜Ｘｎ）に順次走査（ゲート）信号を供給する。また信号ＩＣ９は各行のスイッチング素子７が走査信号によりＯＮとなるタイミングでｍ本の信号配線（Ｙ１〜Ｙｍ）にそれぞれ映像信号を供給する。
【００３２】
スイッチング素子７は、走査電極１２、ドレイン電極１３、信号電極１４と薄膜トランジスタで構成されており、ドレイン電極１３に画素電極１７に接続しており、絶縁膜２１を介して共通電極１９が形成されている。
【００３３】
スイッチング素子７の走査電極１２に走査信号が印加されるとスイッチング素子７はＯＮ状態となり、信号配線Ｙに印加された電圧は、信号電極１４、ドレイン電極１３を経て、画素電極１７に印加され、液晶材料３に電圧が印加される。信号配線Ｙを経て画素電極１７に印加される電圧をＶｓ、共通電極の共通電位をＶｃｏｍとすると、液晶材料３にはその差である│Ｖｓ−Ｖｃｏｍ│が印加される。
【００３４】
複数の走査配線Ｘの内、上端から順次走査して、走査信号が印加される。走査信号が印加され、スイッチング素子７がＯＮとなると、走査配線Ｘの走査と同期してそれぞれの信号配線Ｙに表示信号が順次供給される。つまり、いずれかの走査配線Ｘに走査信号が印加されると、その走査配線に接続された一列のスイッチング素子７はＯＮ状態となり、それぞれの信号配線から印加された表示信号が各スイッチング素子７の信号電極１４を経て液晶材料３に電圧が印加される。
【００３５】
このように全ての走査配線Ｘに順次走査信号が印加される周期を垂直周期（あるいは垂直走査周期）と呼ぶ。一般的な液晶表示装置の場合、垂直走査周期は１／６０秒（垂直周波数６０Ｈｚ）である。つまり、１／６０秒の間にすべての走査配線Ｘを順次走査し、すべての画素電極に対して電圧が印加されている。すべての走査配線Xに順次走査信号が印加されて1回の垂直周期が終了し、次の垂直周期を開始するまでの、どの走査配線Xにも走査信号が印加されていない期間を垂直ブランキング期間と呼ぶ。また各々の走査配線Xに順次走査信号が印加される場合に、ある走査配線Xに印加される走査信号と次段の走査配線Ｘに印加される走査信号との間の走査信号が印加されていない期間を水平ブランキング期間と呼ぶ。
【００３６】
水平走査の周波数は垂直周波数×走査配線の本数となる。したがって１本の走査配線Ｘに割り当てられた書き込み時間は、ブランキング期間を無視すると１／６０秒÷走査配線の本数（通常の液晶表示装置で約５００〜１０００本）となる。この１本の走査配線Ｘに割り当てられた時間内に、その走査配線に接続する「画素電極に画素電位Ｖｓが書き込まれ、上端から下端まで垂直周期１／６０秒で走査して、画像の書き換えを行い、走査が下端まで終了すれば、再度上端から走査を繰り返すことで表示を行うことができる。
【００３７】
＜加重痕について＞
図４を用いて本発明の解決課題である加重痕を説明する。図４は、図２の破線丸で囲んだ部分を拡大し、対向基板２とアレイ基板１に挟持された液晶材料３の配向状態を模式的に示したものである。図４（ａ）は画素電極１７とスリット２３を経て共通電極１９との間に電圧を印加した状態を示しており、図４（ｂ）は加重痕が発生した状態の液晶材料の配向状態を模式的に示している。なお、図中の楕円形は液晶材料３を表している。
【００３８】
表示エリア４の表面と裏面には、それぞれの透過軸方向を水平（Ｈ）方向、垂直（Ｖ）方向とした偏光板が貼付されており、電圧を印加しない状態では液晶材料３は水平（Ｈ）方向に配向している。電圧を画素電極１７と共通電極１９の間に印加すると、液晶材料３は図４（ａ）に示すように、スリット２３の境界線に垂直な方向に配向する。この状態では良好な白表示となり、電圧無印加時には良好な黒表示を得ることができる。
【００３９】
表示エリア４を指等で強く加圧すると、表面に位置する対向基板２がわずかにくぼみ、対向基板２とアレイ基板１の間に挟持された液晶材料３の体積が減少する。このとき液晶材料は、加圧部分を中心として、周辺へ流れ、排除されることになるので、液晶材料３は、加圧部分を中心として、放射線状に配向していると推測される（図４（ｂ））。加重痕はこの放射線状の配向異常が、抜重後も残り、長時間表示不良として視認されるものであり、図４（ｂ）に示すように、種々の方向へ配向した液晶材料３により表示異常を生じるものである。
【００４０】
この加重痕は、長時間放置すれば消滅するが、その間表示不良として視認されるため、短期間で解消することが必要である。本発明では、通常の表示を維持しつつ、表示に影響がない程度に駆動波形を変更することにより、短時間に加重痕を解消するものである。本実施の形態で用いた駆動波形時ついては以下に詳細に述べる。
【００４１】
＜液晶表示装置のタイミングチャート＞
本発明の液晶表示装置の駆動方法を図５を用いて説明する。図５は、本発明の実施の形態１に係る液晶駆動方法を示すものであり、走査信号、共通電極電位等を示すタイミングチャートである。本実施の形態においては、隣接する各画素５間で、異なった極性で液晶駆動を行うドット反転駆動を用いている。図６はドット反転駆動による極性反転の状態を示している。図６において、枠内に示された『＋』、『−』は、それぞれの画素５が正極性『＋』／負極性『−』のいずれの極性で書き込みを行ったかを示すものであり、正極性とは共通電極電位Ｖｃｏｍよりも画素電極１８の電位Ｖｓが高く、負極性とは反対にＶｃｏｍよりＶｓが低い状態を言う。
【００４２】
図６に示すように、横方向（Ｈ方向）、縦方向（Ｖ方向）ともに『＋』と『−』が交互に配列している。つまり、ドット反転駆動の場合、同じ走査配線Ｘによりスイッチング素子７がＯＮとなる一列について隣り合う画素には異なった極性が印加されて液晶材料が駆動され、かつ隣接する走査配線Ｘごとに画素の極性の並びが逆になることを示している。以下に本発明の重要な要件である各画素への印加波形について説明する。
【００４３】
図５において、Ｇ１、Ｇ２、Ｇ３・・・Ｇｎはそれぞれ、走査配線Ｘ１、Ｘ２、Ｘ３・・・Ｘｎに印加される走査信号を示している。各走査配線にスイッチング素子７をＯＮする走査信号が印加されている場合、隣接する信号配線Ｙには、交互に正負逆極性の表示信号が印加されている。Ｖｃｏｍは共通電極１９に印加される共通電極電位を示しており、Sは画素電極１７の電位Ｖｓを表している。図５の下から２つの電位は、走査配線Ｘ１上にある正極性で書き込まれた画素５の電位と走査配線Ｘ２上にある負極性で書き込まれた画素５の電位を示しており、│Ｖｓ−Ｖｃｏｍ│の電圧が液晶材料３に印加され、保持される。
【００４４】
走査配線Ｘ１から順次走査し、最後の走査配線Ｘｎについて走査信号Ｇｎの入力が完了し（ＧｎのレベルがＨｉｇｈからＬｏｗになり）、一垂直周期が終了後、次の垂直周期が始まるまでの間の垂直ブランキング期間に共通電極電位Ｖｃｏｍに図に示すような正極性と負極性のパルスを重畳する。ここで共通電極電位Ｖｃｏｍに重畳して印加したパルスは１Ｖ以上、３０Ｖ以下、５０マイクロ秒以上、５ミリ秒以下であれば顕著な効果を示し、０．１Ｖ以上、２０Ｖ以下、１０マイクロ秒以上、３ミリ秒以下であれば効果を示す。
【００４５】
このパルスにより正極性で書き込まれた画素５に印加される電圧は、共通電極電位Ｖｃｏｍに重畳した双極の２つのパルスの内、正極性のパルスにより、パルス印加前の│Ｖｓ−Ｖｃｏｍ│に比べ小さくなる（破線丸）。また負極性で書き込まれた画素５に印加される電圧は、負極性のパルスにより、パルス印加前の│Ｖｓ−Ｖｃｏｍ│に比べ小さくなる（破線四角）。
【００４６】
＜画素電位の変化＞
共通電極電位Ｖｃｏｍが、垂直ブランキング期間に変動することにより、液晶材料３に印加する電圧が低下する理由を図７を用いて説明する。図７は、走査配線Ｘの走査信号レベルがＬｏｗでスイッチング素子（ＴＦＴ）７がＯＦＦの状態の画素５の等価回路を示す。ここで、Ｃｇｄは、ＴＦＴのゲート−ドレイン間の寄生容量、Ｃｌｃは液晶セルの容量、Ｃｓｔは液晶セルの容量Ｃｌｃの電圧を維持させるためのストレージキャパシターである。  
【００４７】
共通電極１９に印加される共通電極電位ＶｃｏｍをΔＶｃｏｍだけ変化させると、画素電位はΔＶｓ＝（Ｃｌｃ＋Ｃｓ）／（Ｃｌｃ＋Ｃｓ＋Ｃｇｄ）＊ΔＶｃｏｍだけ変化する。その結果、液晶材料３に印加される電圧は、│Ｖｓ＋ΔＶｓ−（Ｖｃｏｍ＋ΔＶｃｏｍ）│＝│Ｖｓ−Ｖｃｏｍ−Ｃｇｄ／（Ｃｌｃ＋Ｃｓ＋Ｃｇｄ）＊ΔＶｃｏｍ│となり、│Ｃｇｄ／（Ｃｌｃ＋Ｃｓ＋Ｃｇｓ）＊ΔＶｃｏｍ│  だけ変化した電圧が液晶材料３に印加される。
【００４８】
このように、各画素５について、垂直ブランキング期間に、Ｖｃｏｍを変化させ、画素に印加する電圧を変化させても、その期間は非常に短く、また電圧も大きくないので表示に影響することはない。垂直ブランキング期間に、Ｖｃｏｍを変化させ、パルス印加前よりも電圧を小さくすることにより、表示に影響することなく、加重痕を短時間に消滅させることができる。
【００４９】
本実施の形態においては、共通電極電位Ｖｃｏｍに重畳した２つのパルスは、正極性に続いて負極性となるように印加したが（図５）、この印加順は逆であってもよい。本発明においては、画素５に印加された電圧よりも、垂直ブランキング期間に電圧の低いタイミングを有する点が重要であり、その後に電圧の高い期間を有したとしても加重痕を消滅させる効果に影響はない。
【００５０】
また本実施の形態においては、ドット反転駆動を例として説明したが、水平ライン反転駆動、垂直ライン反転駆動、フレーム反転駆動においても、画素５に書き込まれた電圧よりも低い電圧を印加する期間を有すれば同様の効果を得ることができる。
【００５１】
このように、各画素５について、垂直ブランキング期間に、Ｖｃｏｍを変化させ、画素に印加する電圧を変化させても、その期間は非常に短く、また電圧も大きくないので表示に影響することはない。垂直ブランキング期間に、Ｖｃｏｍを変化させ、パルス印加前よりも電圧を小さくすることにより、表示に影響することなく、加重痕を短時間に消滅させることができる。
【符号の説明】
【００５２】
１  アレイ基板、２  対向基板、３  液晶材料、４  表示エリア、５  画素、６  絶縁基板、７  スイッチング素子、８  走査ＩＣ、９  信号ＩＣ、１０  制御部、１１  半導体層、１２  走査電極、１３  ドレイン電極、１４  信号電極、１５  ゲート絶縁膜、１６  チャネル、１７  画素電極、１８  共通配線、１９  共通電極、２０ａ  第１の絶縁膜、２０ｂ  第１の絶縁膜、２１  第２の絶縁膜、２２  コンタクトホール、２３  スリット、２４  開口部、２５ａ  配向膜、２５ｂ  配向膜、２６  カラーフィルタ、２７  ブラックマトリクス、２８  バックライト、２９ａ  偏光板、２９ｂ  偏光板、１００  液晶表示素子、Ｘ  走査（ゲート）配線、Ｙ  ソース（信号）配線。
【図１】
2015184535.tif 000003
【図２】
2015184535.tif 000004
【図３】
2015184535.tif 000005
【図４】
2015184535.tif 000006
【図５】
2015184535.tif 000007
【図６】
2015184535.tif 000008
【図７】
2015184535.tif 000009